(57)【要約】【課題】移動通信システムで端末機装置が順方向リンクチャネルの受信強度を検査して逆方向リンクの送信を制御することのできる装置及び方法を提供する。【解決手段】本発明による移動通信システムの端末機装置は、チャネル受信信号に含まれている電力制御ビットを検出した後、前記電力制御ビットを用いて順方向リンクのチャネル信号の受信強度を測定する測定器と、前記受信強度を基準値と比較して順方向リンクのチャネル状態が不良の場合、逆方向リンクの送信を制御するための信号を発生する制御器と、前記逆方向リンクの送信制御信号の発生時に前記逆方向リンクのチャネル送信を中断する逆方向リンク送信機とを備え、順方向リンクチャネルの受信強度を検査して逆方向リンクの送信を制御する。【選択図】図３
2004282715.tif 000002
【特許請求の範囲】
【請求項１】
移動通信システムの端末機装置において、
チャネル受信信号に含まれている電力制御ビットを検出した後、前記電力制御ビットを用いて順方向リンクのチャネル信号の受信強度を測定する測定器と、
前記受信強度を基準値と比較して順方向リンクのチャネル状態が不良の場合、逆方向リンクの送信を制御するための信号を発生する制御器と、
前記逆方向リンクの送信制御信号の発生時に前記逆方向リンクのチャネル送信を中断する逆方向リンク送信機とを備え、
前記順方向リンクのチャネルが不連続伝送モードで伝送されることを特徴とする移動通信システムの端末機装置。
【請求項２】
前記測定器から出力される順方向リンクのチャネル信号の受信強度が順方向リンクの電力制御ビットを用いて計算された信号対雑音比であることを特徴とする請求項１に記載の移動通信システムの端末機装置。
【請求項３】
前記制御器は、前記順方向リンクのチャネル状態値を所定の周期で累積及び平均して前記平均値が前記基準値より小さいとき、前記逆方向リンクの送信制御信号を発生することを特徴とする請求項１に記載の移動通信システムの端末機装置。
【発明の詳細な説明】
【技術分野】
【０００１】
本発明は移動通信システムの逆方向リンクの通信装置及び方法に係り、特に、順方向リンクの受信強度を測定して逆方向リンクの送信を制御する装置及び方法に関する。
【背景技術】
【０００２】
移動通信システムはチャネル環境の変化に応じて送受信動作を制御してシステムの安定性を維持する。このため、端末機は順方向リンクの状態を測定して逆方向リンクの送信を制御する。図１は従来の移動通信システムで順方向リンクの状態を検査して逆方向リンクの通信を制御する装置の構成を示している。ここで、前記移動通信システムは符号分割多重接続(Code Division Multiple Access：ＣＤＭＡ)通信システムとして仮定する。
【０００３】
図１を参照すれば、ＲＦ部(Radio Frequency Module)１１１はアンテナを通して受信されるＲＦ信号を周波数下降変換して基底帯域の周波数に変換する。受信機１１３は前記ＲＦ部１１１から出力される受信信号を逆拡散した後、シンボルの単位で累積してシンボルのレベルを決める。この際、逆拡散はＰＮ逆拡散及び直交逆拡散を含む。デコーダー１１５は前記受信機１１３から出力されるシンボルを復号化して出力する。ＣＲＣ(Cyclic Redundancy Check)検出器１１７は前記デコーダー１１５の復号化出力を入力してフレームエラーの発生有無を示すＣＲＣ検出信号を発生する。制御部１１９は前記ＣＲＣ検出器１１７の出力を受信して逆方向リンクの送信を制御するための信号を発生する。送信機１２１は逆方向リンクのチャネル送信機であり、前記制御部１１９から出力される制御信号により逆方向リンクの送信動作が制御される。
【０００４】
図１に示したように、従来の逆方向リンクの伝送制御方法は順方向リンクのフレームのＣＲＣを測定して逆方向リンクの送信動作を制御する方法を使用している。この際、前記ＣＲＣ検出器１１７が所定の数以上の連続フレームのＣＲＣエラーを検出すると、前記制御部１１９は前記送信機１２１を制御して逆方向リンクの送信を中断させる制御信号を発生する。言い換えれば、受信フレームのＣＲＣエラーを測定してフレームが損なわれていると、順方向リンクのチャネル環境を不良状態として判定して逆方向リンクへの伝送を中止させる。
【発明の開示】
【発明が解決しようとする課題】
【０００５】
上述した従来の方法は順方向リンクチャネルでフレームデータが伝送される区間のみで使用が可能である。したがって、前記順方向リンクチャネルでフレームデータが伝送されない区間では前記ＣＲＣエラーを検出することができない。例えば、不連続伝送モード(ＤＴＸ)を使用するチャネルの場合、前記ＣＲＣエラーの検出は不可能である。したがって、このように不連続伝送モードを使用するチャネルのように実際データの非伝送区間でも順方向リンクのチャネル状態を検査して逆方向リンクの送信を制御すべきである。
【０００６】
本発明の目的は、移動通信システムで端末機装置が順方向リンクチャネルの受信強度を検査して逆方向リンクの送信を制御することのできる装置及び方法を提供することにある。
本発明の他の目的は、移動通信システムで端末機装置が順方向リンクチャネルの受信電力制御命令の雑音に対する電力比を測定して逆方向リンクの送信を制御することのできる装置及び方法を提供することにある。
本発明のさらに他の目的は、移動通信システムで端末機装置が不連続伝送モードを使用する順方向リンクチャネルの受信強度を検査して逆方向リンクの送信を制御することのできる装置及び方法を提供することにある。
かつ、本発明の他の目的は、移動通信システムで端末機装置が順方向リンクの状態を検査して不良の場合、呼を解除することのできる装置及び方法を提供することにある。
【課題を解決するための手段】
【０００７】
特許請求の範囲に記載の装置及び方法により解決される。
【発明を実施するための最良の形態】
【０００８】
図１は従来の移動通信システムで逆方向リンクの送信を制御する装置の構成を示した図である。
図２は本発明の実施形態による移動通信システムで逆方向リンクの送信を制御する装置の構成を示した図である。
図３は図２に示した測定器の構成を示した図である。
図４は図３に示したＳＮＲ測定器の構成を示した図である。
図５は本発明の実施形態による逆方向リンクの送信動作を中断する過程を示した流れ図である。
図６は本発明の実施形態による逆方向リンクの送信動作を再開する過程を示した流れ図である。
図７は本発明の実施形態による逆方向リンクの送信中断状態で逆方向リンクの呼を解除する過程を示した流れ図である。
図８は図５の他の実施形態の動作を示した流れ図である。
図９は図６の他の実施形態の動作を示した流れ図である。
図１０は図７の他の実施形態の動作を示した流れ図である。
【０００９】
以下、本発明の望ましい実施形態を添付図面に基づいて詳しく説明する。
本発明の実施形態に応じてチャネル信号の受信強度を測定して送信信号を中断するか、データの伝送中断状態で送信を再開するために平均値を計算する手段などの特定の詳細が本発明の全般的な理解のために提供されている。このような特定の詳細に限らず、各種の変形が本発明の範囲を逸脱しない限り、本発明における通常の知識を持つ者により可能なのは明らかである。かつ、本発明の実施形態では電力制御ビットを用いて受信信号の強度を測定することを例示しているが、データの伝送中断状態で受信可能な他の信号のある場合は該当信号を用いて受信信号の強度を測定することができる。
【００１０】
かつ、下記の説明において、“順方向リンク”は基地局から端末機に送信されるリンクを示し、“逆方向リンク”は端末機から基地局に送信されるリンクを示す。
図２は本発明の実施形態による逆方向リンクの通信装置の構成を示した図である。
【００１１】
図２を参照すれば、ＲＦ部２１１はアンテナを通して受信されるＲＦ信号を周波数下降変換して基底帯域の周波数に変換する。受信機２１３は前記ＲＦ部２１１から出力される受信信号を逆拡散した後、シンボルの単位で累積してシンボルのレベルを決める。この際、逆拡散はＰＮ逆拡散及び直交逆拡散を含む。デコーダー２１５は前記受信機２１３から出力されるシンボルを復号化して出力する。測定器２１７は前記順方向リンクの信号を受信して電力制御ビット(ＰＣＢ)を検出した後、前記ＰＣＢによる信号対雑音比(ＳＮＲ)を測定する。制御部２１９は前記測定器２１７から出力される電力制御ビットによるＳＮＲを分析して逆方向リンクの送信を制御するための信号を発生する。送信機２２１は逆方向リンクのチャネル送信機であり、前記制御部２１９から出力される制御信号により逆方向リンクの送信動作が制御される。
【００１２】
上述したように、図２は符号分割多重接続方式の通信システムで順方向リンクチャネルの雑音に対する信号強度を測定して逆方向伝送を行うための構造を示している。ここで、前記受信信号は電力制御ビットであり、前記電力制御ビットを用いてＳＮＲ値を測定した後、制御部２１９は前記ＳＮＲ値に基づいて逆方向リンクのデータを伝送するか否かを決める。前記電力制御ビットは基本チャネルのような連続チャネルのみならず、不連続伝送を行うチャネルでも連続的に伝送するため、前記電力制御ビットを用いてＳＮＲを測定することができる。
【００１３】
図３は図２に示した測定器２１７の構成を示した図である。
図３を参照すれば、ＰＮ逆拡散器３１１は順方向リンクの受信信号をＰＮシーケンスで逆拡散する。直交逆拡散器３１３は前記ＰＮ逆拡散信号を対応チャネルの直交符号で逆拡散する。ここで、前記直交符号にはWalsh符号、前記チャネルにはパイロットチャネルを使用してもよい。チャネル推定器３１５は前記ＰＮ逆拡散器３１１の出力を受信し、前記ＰＮ逆拡散信号を入力してチャネル推定信号を発生する。電力制御ビット検出器３１７は前記ＰＮ逆拡散器３１１の出力を受信し、前記ＰＮ逆拡散信号から電力制御ビットを検出する。雑音測定器３１９は前記直交逆拡散器３１３の出力とチャネル推定器３１５の出力を入力し、前記二つの信号から雑音成分(Ｎｔ)を検出する。信号測定器３２１は前記チャネル推定器３１５及び電力制御ビット検出器３１７の出力を受信し、前記二つの信号からビットエネルギー(Ｅｂ)を測定する。ＳＮＲ測定器３２３は前記雑音測定器３１９から出力される雑音成分(Ｎｔ)と前記信号測定器３２１から出力される信号強度(Ｅｂ)を入力した後、Ｅｂ／Ｎｔを計算してＳＮＲ(信号対雑音比)を発生する。
【００１４】
図３において、ＰＮ逆拡散信号はWalsh逆拡散パイロットチャネルと電力制御ビットが含まれているチャネルに分けられる。前記雑音測定器３１９は前記Walsh逆拡散パイロットチャネル信号とチャネル推定器３１５の出力値を用いて雑音成分(Ｎｔ)を測定し、前記信号測定器３２１は前記電力制御ビットのサイズとチャネル推定器３１５の出力値を用いて信号強度(Ｅｂ)を測定する。その後、前記ＳＮＲ測定器３２３からＥｂ／Ｎｔを計算してＳＮＲを生成する。
図４は図３のような端末機受信装置で受信される信号のＳＮＲを測定するための具体的な例を示している。
【００１５】
【数１】
2004282715.tif 000003
Ｗｉ：ｉ番目のＰＣＧ(power control group)の逆方向伝送電力制御命令
【数２】
2004282715.tif 000004
【数３】
2004282715.tif 000005
【数４】
2004282715.tif 000006
【数５】
2004282715.tif 000007
【００１６】
前記式（１）のＡｆを 
【数６】
2004282715.tif 000008
、前記式（１）及び式（２）のＢｆを 
【数７】
2004282715.tif 000009
とすれば、
【数８】
2004282715.tif 000010
は干渉信号なので、前記式（３）の分子項はＣｆとなる。したがって、受信ＳＮＲは次の式（４）のように表現することができる。
【数９】
2004282715.tif 000011
【００１７】
図５は本発明の実施形態による移動通信システムで通信を行う状態で、順方向リンクの電力制御ビットによるＳＮＲを測定した後、そのＳＮＲを検査して不良状態判定時、逆方向リンクの出力を制御する過程を示した流れ図である。
【００１８】
図５を参照すれば、端末機装置は５００段階で逆方向リンクを通して送信動作を正常的に行う。この場合、前記制御部２１９は前記送信機２２１の動作を駆動するための制御信号を出力し、前記送信機２２１は前記制御部２１９の制御により該当チャネルの情報を逆方向リンクチャネルを通して伝送する。前記制御部２１９は５１１段階で前記ＳＮＲ測定器３２３から出力されるＳＮＲ信号を受信して平均ＳＮＲを測定する。この際、前記平均ＳＮＲはＮ１個の電力制御グループ(ＰＣＧ)で受信されるＰＣＢによるＳＮＲを累積することにより得られる。ここで、前記Ｎ１はＳＮＲを測定するための受信区間を設定する値であり、フレーム区間に設定することができる。この場合、前記Ｎ１は１６個のＰＣＧの周期となり得る。
【００１９】
その後、前記制御部２１９は５１３段階で前記平均ＳＮＲと所定の基準値Ｔｈ１を比較して前記ＳＮＲが基準値Ｔｈ１より小さい場合(すなわち、順方向リンクのチャネル状態が受信区間Ｎ１で不良の場合)、５１５段階でカウンタの値ＣＮＴ１を増加させる。一方、前記ＳＮＲが基準値Ｔｈ１より大きい場合、５１７段階でＣＮＴ１を初期化する。前記カウンタは順方向リンクのチャネル不良状態の受信区間(すなわち、チャネル信号の受信強度が所定の基準値Ｔｈ１より小さい場合の受信区間)を計数するカウンタである。
【００２０】
前記５１５段階又は５１７段階以後、前記制御部２１９は５１９段階で前記ＣＮＴ１を所定の連続フレームの数ＮＵＭ１と比較して前記ＣＮＴ１がＮＵＭ１より小さい場合(すなわち、チャネルの不良状態が所定の連続受信区間数以下の場合)、前記５１１段階に戻る。しかしながら、前記ＣＮＴ１が前記ＮＵＭ１より小さくない場合(すなわち、逆方向リンクの送信動作状態で順方向リンクのチャネル不良状態が所定の連続受信区間数以上の場合)、５５０段階に進んで送信機２２１の送信動作を中断させるための送信制御信号を発生する。その後、前記送信機２２１は該当チャネルの送信信号を中断させる。
【００２１】
図５に示したように、逆方向リンクの送信動作状態で端末機はＮ１個のＰＣＧで受信される信号のＳＮＲを測定して平均する。前記平均ＳＮＲがＴｈ１より小さい場合はＣＮＴ１を増加させ、前記Ｔｈ１より大きい場合はＣＮＴ１を初期化させる。その後、前記ＣＮＴ１がＮＵＭ１より大きくなる場合(すなわち、前記平均ＳＮＲが連続的にＮＵＭ１でＴｈ１以下の場合)、逆方向リンクの信号伝送を中断させる。しかしながら、前記ＣＮＴ１がＮＵＭ１より小さい場合は再度次のＮ１個のＰＣＧの平均ＳＮＲを測定して上述した動作を繰り返す。これにより、端末機は連続ＮＵＭ１で受信チャネルの状態を不良として判断すると、逆方向リンクの伝送を中断させる。ここで、前記Ｔｈ１，Ｎ１，ＮＵＭ１は第１基準値である。
【００２２】
図６は図５のような過程遂行後、移動通信システムで逆方向リンクの伝送中断状態で順方向リンクの電力制御ビットによるＳＮＲを測定した後、ＳＮＲを検査して良好状態判定時は逆方向リンクの送信を再開する過程を示した流れ図である。
【００２３】
図６を参照すれば、端末機装置は６００段階で逆方向リンクの送信中断状態を示す。この場合、前記制御部２１９は前記送信機２２１の動作を中断する送信制御信号を出力し、送信機２２１は前記制御部２１９により受信される該当チャネル情報の送信を中断する。このような状態で前記制御部２１９は６１１段階で前記ＳＮＲ測定器３２３から出力されるＳＮＲ信号を受信して平均ＳＮＲを測定する。この際、前記平均ＳＮＲはＮ２個のＰＣＧで受信されるＰＣＢによるＳＮＲを累積して平均ＳＮＲを計算する。ここで、前記Ｎ２はＳＮＲを測定するための受信区間を設定する値であり、フレーム区間となり得る。この場合、前記Ｎ２は１６個のＰＣＧの周期となり得る。
【００２４】
その後、前記制御部２１９は６１３段階で前記平均ＳＮＲと所定の基準値Ｔｈ２を比較して前記ＳＮＲが前記Ｔｈ２より大きければ、６１５段階でカウンタの値ＣＮＴ２を増加させる。一方、前記ＳＮＲが前記Ｔｈ２より小さければ、ＣＮＴ２を０に初期化させる。ここで、前記カウンタは順方向リンクのチャネル良好状態の受信区間(すなわち、受信信号が所定の基準値Ｔｈ２より大きい場合の受信区間)を計数するカウンタである。
【００２５】
前記６１５段階又は６１７段階以後、前記制御部２１９は６１９段階で前記ＣＮＴ２を所定の連続フレームの数ＮＵＭ２と比較して前記ＣＮＴ２がＮＵＭ２より小さい場合(すなわち、順方向リンクチャネルの良好状態が所定の連続受信区間数以下の場合)、前記６１１段階に戻る。しかしながら、前記ＣＮＴ２が前記ＮＵＭ２より小さくない場合(すなわち、逆方向リンクの送信動作状態で順方向リンクのチャネル良好状態が所定の連続受信区間数以上の場合)、６５０段階に進んで送信機２２１の送信動作を再開させるための送信再開信号を発生する。前記送信機２２１は該当チャネルの送信動作を再開して逆方向リンクの送信動作を再度行う。
【００２６】
図６に示したように、逆方向リンクの伝送中断状態で伝送を再開する動作を調べると、Ｎ２個のＰＣＧで受信されるＰＣＢによるＳＮＲを測定して平均する。前記平均ＳＮＲがＴｈ２より大きい場合はＣＮＴ２を増加させ、前記Ｔｈ２より小さい場合はＣＮＴ２を初期化させる。その後、前記ＣＮＴ２がＮＵＭ２より大きくなる場合(前記平均ＳＮＲが連続的にＮＵＭ２でＴｈ２以上の場合)、逆方向リンクの信号伝送を再開する。しかしながら、前記ＣＮＴ２がＮＵＭ２より小さい場合は再度次のＮ２個のＰＣＧのＰＣＢによる平均ＳＮＲを測定して上述した動作を繰り返す。これにより、受信機は連続的にＮＵＭ２で受信チャネルの状態を良好として判断すると、逆方向リンクの伝送を再開する。ここで、前記Ｔｈ２，Ｎ２，ＮＵＭ２は第２基準値である。
【００２７】
図７は本発明の実施形態による移動通信システムで順方向リンクのＰＣＢによるＳＮＲを測定した後、ＳＮＲを検査して不良状態判定時は呼を解除する過程を示した流れ図である。
図７を参照すれば、前記制御部２１９は７１１段階で前記ＳＮＲ測定器３２３から出力されるＳＮＲ信号を受信して平均ＳＮＲを測定する。その際、前記平均ＳＮＲはＮ３個のＰＣＧで受信されるＰＣＢによるＳＮＲを累積して平均ＳＮＲを計算する。ここで、前記Ｎ３はＳＮＲを測定するための受信区間を設定する値であり、フレーム区間となり得る。この場合、前記受信区間Ｎ３は１６個のＰＣＧの周期となり得る。
【００２８】
その後、前記制御部２１９は前記平均ＳＮＲと所定の基準値Ｔｈ３を比較して前記ＳＮＲが前記Ｔｈ３より大きければ、７１５段階に進み、前記ＳＮＲが前記Ｔｈ３より小さければ、７１９段階に進む。前記制御部２１９は７１５段階で以前に測定されたＭ個のＳＮＲのいずれもＴｈ３以上か否かを検査する。ここで、前記Ｍ個のＳＮＲのいずれもＴｈ３以上の場合は７１７段階に進んでfadeタイマーを初期化させ、そうでなければ、７１９段階に進んでfadeタイマーの値を増加させる。すなわち、前記fadeタイマーはＳＮＲがＴｈ３より大きく、以前に測定したＭ個のＳＮＲのいずれもＴｈ３以上の場合は初期化する。しかしながら、前記fadeタイマーはＳＮＲがＴｈ３より小さいか、以前に測定したＭ個のＳＮＲのいずれもＴｈ３以下の場合は増加する。
【００２９】
前記７１７段階又は７１９段階以後、前記制御部２１９は７２１段階で前記fadeタイマーの終了有無を検査してfadeタイマーの駆動状態の場合は７１１段階に戻り、駆動終了状態の場合には７５０段階に進んで呼を解除する。
【００３０】
図７に示したように、特定の時間(fadeタイマーの値)で端末機に受信されるチャネルの状態が不良として判断されると、リンクを中断させる。前記動作を調べると、前記制御部２１９はＮ３個のＰＣＧで受信されるＰＣＢによるＳＮＲを測定して平均する。前記平均ＳＮＲがＴｈ３より大きく、直前のＭ回のＮ３個の平均ＳＮＲのいずれもＴｈ３より大きければ、fadeタイマーを初期化する。しかしながら、前記Ｎ３個の平均ＳＮＲのいずれもＴｈ３より小さく、Ｍ回のＮ３個の平均ＳＮＲのいずれもＴｈ３より大きくなければ、前記fadeタイマーは増加する。この際、前記fadeタイマーの値が特定の時間、すなわち、終了時間より大きくなると、受信チャネルの状態を不良として判断してリンクを中断させる。このような動作によりfadeタイマーの設定時間でＮ３個のＰＣＧの平均ＳＮＲがＴｈ３よりＭ回にかけて大きくなければ、呼は解除される。
【００３１】
図５、図６及び図７においては、測定ＳＮＲを基準値Ｔｈと比較して順方向リンクのチャネル状態を判断する。しかしながら、このような順方向チャネル状態を判断するためにフレームエラーの発生確率を使用することもできる。前記フレームエラー発生確率を検出するためには、逆拡散チャネル信号を受信してフレームエラーを検出するフレーム検出器を備えるべきである。
【００３２】
前記フレームエラー発生確率を計算する方法を調べると、フレームエラー検出器(図示せず)はＡＷＧＮ(Additive White Gaussian Noise)から雑音測定器３１９により検出される雑音成分(Ｎｔ)と信号測定器３２１から出力されるビットエネルギー(Ｅｂ)による計算されるＳＮＲにオフセット値を加算して実際のＳＮＲ(Ｅｂ/Ｎｔ)を計算する。これはフレームの単位で測定したＳＮＲがＡＷＧＮにおけるＳＮＲと近似的に同一であると仮定して所定のルックアップテーブルを用いて測定したＳＮＲに該当するフレームエラー率を得る。この場合、実際のＳＮＲとルックアップテーブルのＳＮＲとは多少異なるため、これを補正する。その補正値としてはプリセット値又は送信側から予め伝送された値を用いることができる。
【００３３】
その後、前記フレームエラー検出器(図示せず)は前記ルックアップテーブルから前記ＳＮＲによるフレームエラー率を読み出してバッファに貯蔵する。前記ルックアップテーブルは(Ｅｂ/Ｎｔ)によるＦＥＲをリスト化する。ここで、ＳＮＲの間隔を一定にすることができ、ＦＥＲの間隔を不規則的にすることもできる。前記フレームエラー率が読み出されると、フレームエラー検出器(図示せず)は乱数発生器を駆動させて乱数を発生させる。前記乱数発生器から発生した乱数値が入力されると、フレームエラー検出器は読み出されたフレームエラー率と前記乱数発生器から発生した乱数値を比較する。その結果、前記乱数値が前記フレームエラー率より小さければ、フレームエラー検出器はフレームエラーメッセージとして“１”を出力し、前記乱数値が前記フレームエラー率より大きければ、フレームエラーメッセージとして“０”を出力する。
【００３４】
図８、図９及び図１０の逆方向リンクの制御方法は前記基準値Ｔｈの代わりにエラー発生確率を用いる過程を説明している。
図８は逆方向リンクの伝送状態で受信信号を測定して逆方向リンクを制御する動作を示した流れ図である。図８の動作は図５と類似過程により行われるが、前記基準値Ｔｈ１を使用せず、エラー確率Ｐによる乱数(random number)Ｒを使用することが異なる。
【００３５】
図８において、８１１段階でＮ１個のＰＣＧで受信される信号のＳＮＲを測定して平均し、８１３段階でその値に該当するフレームエラー発生確率Ｐを計算した後、８１５段階で１のエラー発生確率がＰであるランダムナンバー(１，０)を発生させる。かつ、８１７段階で前記ランダムナンバーが１であれば、フレームエラーが発生すると判断して８１９段階でＣＮＴ１を増加させる。しかしながら、８１７段階で前記ランダムナンバーが０であれば、フレームの受信状態を良好として判断してＣＮＴ１を８２１段階で初期化する。仮に、前記ＣＮＴ１が８２３段階でＮＵＭ１より大きければ、連続ＮＵＭ１のフレームでエラーが発生すると判断して逆方向リンクの伝送を８５０段階で中断する。
【００３６】
図９は逆方向リンクの伝送中断状態で受信信号を測定して逆方向リンクの送信動作を再開する動作を示した流れ図である。図９の動作は図６と類似過程により行われるが、前記基準値Ｔｈ２を使用せず、エラー確率Ｐによる乱数Ｒを使用することが異なる。
【００３７】
図９において、９１１段階でＮ２個のＰＣＧで受信されるＳＮＲを測定して平均し、９１３段階でその値に該当するフレームエラー発生確率Ｐを計算した後、９１５段階で１のエラー発生確率がＰであるランダムナンバー(１，０)を発生させる。かつ、９１７段階で前記ランダムナンバーが１であれば、フレームエラーが発生すると判断して９１９段階でＣＮＴ２を増加させる。しかしながら、９１７段階で前記ランダムナンバーが１でなければ、フレームの受信状態を良好として判断してＣＮＴ２を９２１段階で初期化する。仮に、前記ＣＮＴ２が９２３段階でＮＵＭ２より大きければ、連続ＮＵＭ２のフレームでフレームの状態を良好として判断して逆方向リンクの伝送を９５０段階で再開する。
【００３８】
図１０は特定の時間で受信機に受信されるチャネルの状態を不良として判断するとき、リンクを中断させるfadeタイマーの動作を示した流れ図である。図１０の動作は図７と類似過程により行われるが、前記基準値Ｔｈ３を使用せず、エラー確率Ｐによる乱数Ｒを使用することが異なる。
【００３９】
図１０において、１０１１段階でＮ３個のＰＣＧで受信されるＳＮＲを測定して平均する。その後、１０１３段階でその値に該当するフレームエラー発生確率Ｐを計算した後、１０１５段階で１のエラー発生確率がＰであるランダムナンバー(１，０)を発生させる。かつ、１０１７段階で前記ランダムナンバーが１であれば、フレームエラーが発生すると判断して１０２３段階でfadeタイマーの値を増加させる。しかしながら、前記ランダムナンバーが１でなければ、フレームの受信状態を良好として判断して１０１９段階で直前のＭ個のランダムナンバーのいずれも０であるかを検査する。前記Ｍ個のランダムナンバーのいずれも０であれば、チャネルの状態が連続Ｍ個の受信区間で良好として判断して１０２１段階でfadeタイマーを初期化する。仮に、前記Ｍ個のランダムナンバーのいずれも０でなければ、１０２３段階でfadeタイマーを増加させる。その後、１０２５段階でfadeタイマーが完了すると、受信チャネルの状態を所定のタイムアウト時間で不良として判断してリンクを中断させる。このような動作によりfadeタイマーがタイムアウト時間を経過するまでＮ３個のＰＣＧの平均ＳＮＲによるフレームの状態が連続Ｍ回にかけて不良として判断されると、１０５０段階で呼が解除される。
【００４０】
上述したように、本発明の実施形態は移動拡散帯域通信システムで受信信号の逆方向電力制御のための順方向電力制御ビットの雑音に対する電力比を測定してその値を１フレームで平均し、連続Ｎ個のフレームで前記値が特定の基準値以下の場合、逆方向への伝送を中断し、その後の連続Ｍ個のフレームで前記電力比が他の特定の基準値以上の場合、逆方向への伝送を再開することにより、システムの安定度及び容量増大を達成することができる。このように逆方向リンクの伝送を制御する場合、特定の基準値を用いることなく、フレーム発生エラー確率を計算した後、１の確率がＰであるランダムナンバーを発生して使用することもできる。
【００４１】
かつ、以前のフレームのＣＲＣエラーを測定してチャネルの状態を測定する従来の方法が基本チャネルのようにフレームのみに対してチャネルの状態を測定して逆方向伝送制御を行ったが、順方向リンクの電力制御ビットを用いる本発明の逆方向リンクの伝送制御方法はフレームが不連続的に存在し、そのフレームの存在有無もわからない状況でも、順方向リンクのチャネル状態を正確に測定して逆方向伝送チャネルの伝送を決めることができる。したがって、不連続伝送モードを使用するチャネルの場合、効率よく使用することができる。
【００４２】
さらに、本発明の実施形態のように端末機が基地局間のソフトハンドオフを行うときも、基地局から端末機に伝送するＨＤＭ(Hand-off Directional Message)を感知して逆方向電力制御のための順方向リンクのＰＣＢのＳＮＲの３ｄＢ増加を検出することにより、端末機の順方向チャネル測定のための基準値を調整して順方向チャネルの状態を正確に測定することができる。
【００４３】
かつ、本発明の実施形態のように順方向リンクの伝送がゲートモードで行われるときも、チャネル推定器の累積区間をゲートレート(Gating Rate)に応じて変化させることにより、順方向チャネルの正確な推定と逆方向リンクの伝送を効率よく制御することができる。
以上、本発明の実施形態を添付図面を参照して説明したが、本発明はこの特定の実施形態に限るものでなく、各種の変形及び修正が本発明の範囲を逸脱しない限り、該当分野における通常の知識を持つ者により可能なのは明らかである。
【図面の簡単な説明】
【００４４】
【図１】従来の移動通信システムで逆方向リンクの送信を制御する装置の構成を示した図である。
【図２】本発明の実施形態による移動通信システムで逆方向リンクの送信を制御する装置の構成を示した図である。
【図３】図２に示した測定器の構成を示した図である。
【図４】図３に示したＳＮＲ測定器の構成を示した図である。
【図５】本発明の実施形態による逆方向リンクの送信動作を中断する過程を示した流れ図である。
【図６】本発明の実施形態による逆方向リンクの送信動作を再開する過程を示した流れ図である。
【図７】本発明の実施形態による逆方向リンクの送信中断状態で逆方向リンクの呼を解除する過程を示した流れ図である。
【図８】図５の他の実施形態の動作を示した流れ図である。
【図９】図６の他の実施形態の動作を示した流れ図である。
【図１０】図７の他の実施形態の動作を示した流れ図である。
【符号の説明】
【００４５】
２１１…ＲＦ部
２１３…受信機
２１５…デコーダー
２１７…測定器
２１９…制御部
２２１…送信機
３１１…ＰＮ逆拡散器
３１３…直交逆拡散器
３１５…チャネル推定器
３１７…電力制御ビット検出器
３１９…雑音測定器
３２１…信号測定器
３２３…ＳＮＲ測定器
【図１】
2004282715.tif 000012
【図２】
2004282715.tif 000013
【図３】
2004282715.tif 000014
【図４】
2004282715.tif 000015
【図５】
2004282715.tif 000016
【図６】
2004282715.tif 000017
【図７】
2004282715.tif 000018
【図８】
2004282715.tif 000019
【図９】
2004282715.tif 000020
【図１０】
2004282715.tif 000021